(57)【要約】【課題】より簡易に、且つ、効率的に、機密性を確実に確保する画像形成システムを提供する。【解決手段】親展情報がプリントされた用紙が収容される親展トレイ１６Ｂと、親展トレイ１６Ｂに収容された用紙を取り出すための取出口に開閉可能に備えられたトレイカバー１６Ｃと、トレイカバー１６Ｃが開いているか否かを検出する開閉検出部１６Ｄと、開閉検出部１６Ｄにより、トレイカバー１６Ｃが開いていると検出された場合に、親展情報を含むプリントジョブに基づくプリント処理を保留して、親展情報を含まないプリントジョブに基づくプリント処理を実行させるようにプリント部７を制御する制御部１０と、を備えた。【選択図】図２
2008173843.tif 000002
【特許請求の範囲】
【請求項１】
外部からプリントジョブを受け付けるコントローラと、
前記コントローラにより受け付けられたプリントジョブに基づいてプリント処理を行うプリント部と、
親展情報がプリントされた用紙が収容される親展トレイと、
前記親展トレイに収容された用紙を取り出すための取出口に開閉可能に備えられたトレイカバーと、
前記トレイカバーが開いているか否かを検出する開閉検出部と、
前記開閉検出部により、前記トレイカバーが開いていると検出された場合に、親展情報を含むプリントジョブに基づくプリント処理を保留して、親展情報を含まないプリントジョブに基づくプリント処理を実行させるように前記プリント部を制御する制御部と、
を備えることを特徴とする画像形成システム。
【請求項２】
前記親展トレイに用紙が収容されているか否かを検出する用紙検出部を備え、
前記制御部は、前記用紙検出部により、前記親展トレイに用紙が収容されていると検出された場合に、親展情報を含むプリントジョブに基づくプリント処理を保留して、親展情報を含まないプリントジョブに基づくプリント処理を実行させるように前記プリント部を制御することを特徴とする請求項１に記載の画像形成システム。
【請求項３】
前記制御部は、前記開閉検出部により前記トレイカバーが閉まっていると検出された場合に、保留した親展情報を含むプリントジョブに基づくプリント処理の保留を解除することを特徴とする請求項１又は２に記載の画像形成システム。
【請求項４】
前記制御部は、前記用紙検出部により前記親展トレイに用紙が収容されていないと検出された場合に、保留した親展情報を含むプリントジョブに基づくプリント処理の保留を解除することを特徴とする請求項２又は３に記載の画像形成システム。
【請求項５】
前記制御部は、前記開閉検出部により前記トレイカバーが閉まっていると検出された場合に、保留した親展情報を含むプリントジョブに基づくプリント処理を、実行中のプリント処理に続いて実行させるように前記プリント部を制御することを特徴とする請求項１〜４の何れか一項に記載の画像形成システム。
【請求項６】
前記制御部は、前記用紙検出部により前記親展トレイに用紙が収容されていないと検出された場合に、保留した親展情報を含むプリントジョブに基づくプリント処理を、実行中のプリント処理に続いて実行させるように前記プリント部を制御することを特徴とする請求項２〜５の何れか一項に記載の画像形成システム。
【請求項７】
前記制御部は、プリントジョブを保留としてから所定時間経過した場合に、当該プリントジョブを削除することを特徴とする請求項１〜６の何れか一項に記載の画像形成システム。
【請求項８】
前記プリントジョブはユーザ情報を含み、
前記制御部は、前記コントローラにより、親展情報を含む第１プリントジョブが受け付けられ、前記第１プリントジョブの次に親展情報を含む第２プリントジョブが受け付けられた場合であって、前記第１プリントジョブに基づくプリント処理の処理中若しくは終了後に前記開閉検出部により前記トレイカバーが開いていると検出された場合に、第１プリントジョブに含まれるユーザ情報と第２プリントジョブに含まれるユーザ情報とが一致するか否か判断し、一致すると判断した場合に、前記コントローラにより受け付けられた第２プリントジョブに基づくプリント処理を実行させるように前記プリント部を制御することを特徴とする請求項１〜７の何れか一項に記載の画像形成システム。
【請求項９】
前記プリントジョブはユーザ情報を含み、
前記制御部は、前記コントローラにより、親展情報を含む第１プリントジョブが受け付けられ、前記第１プリントジョブの次に親展情報を含む第２プリントジョブが受け付けられた場合であって、前記第１プリントジョブに基づくプリント処理の処理中若しくは終了後に前記用紙検出部により前記親展トレイに用紙が収容されていると検出された場合に、第１プリントジョブに含まれるユーザ情報と第２プリントジョブに含まれるユーザ情報とが一致するか否か判断し、一致すると判断した場合に、前記コントローラにより受け付けられた第２プリントジョブに基づくプリント処理を実行させるように前記プリント部を制御することを特徴とする請求項２〜７の何れか一項に記載の画像形成システム。
【請求項１０】
前記制御部は、前記コントローラにより、親展情報を含むプリントジョブが複数受け付けられた場合に、当該複数のプリントジョブのうちユーザ情報が同一であるプリントジョブに基づくプリント処理を連続して他のユーザ情報が同一のものがないプリントジョブより優先して実行させるように前記プリント部を制御することを特徴とする請求項８又は９に記載の画像形成システム。
【請求項１１】
複数の前記親展トレイと、
前記プリント部によりプリント処理される用紙を搬送する搬送部と、
を備え、
前記制御部は、所定の優先順位で、前記開閉検出部により前記トレイカバーが閉まっていると検出された前記親展トレイを検索し、前記搬送部を制御して、検索された前記親展トレイに前記プリント部によりプリント処理された用紙を搬送させることを特徴とする請求項１〜１０の何れか一項に記載の画像形成システム。
【請求項１２】
複数の前記親展トレイと、
前記プリント部によりプリント処理される用紙を搬送する搬送部と、
を備え、
前記制御部は、所定の優先順位で、前記用紙検出部により前記親展トレイに用紙が収容されていないと検出された前記親展トレイを検索し、前記搬送部を制御して、検索された前記親展トレイに前記プリント部によりプリント処理された用紙を搬送させることを特徴とする請求項２〜１０の何れか一項に記載の画像形成システム。 
【発明の詳細な説明】
【技術分野】
【０００１】
本発明は、画像形成システムにかかるものである。
【背景技術】
【０００２】
従来、機密文書をプリントする場合に、出力枚数が所定枚数以下の場合には通常トレイへ排紙し、出力枚数が所定枚数より多い場合には親展トレイへ排紙する画像形成装置が知られている（例えば、特許文献１）。
また、機密文書をプリントする際、又は、プリントされた機密文書を親展トレイのカバーを開けて取り出す際に、パスワード入力を必要とするものも知られている（例えば、特許文献２）。
【特許文献１】特開２００４−３０６２８７号公報
【特許文献２】特開２００５−００７６１７号公報
【発明の開示】
【発明が解決しようとする課題】
【０００３】
しかしながら、特許文献１では、出力枚数が所定枚数以下の場合には、機密文書の内容が第３者に知られてしまう可能性があり、機密性が十分に確保することができない。
また、特許文献２では、第１のユーザが親展トレイのカバーが開いている場合に、第２のユーザがプリント出力すると、親展トレイに排紙された第２のユーザの機密文書が第１のユーザに見られてしまう可能性がある。そのため、親展トレイのカバーがあけられている場合には、第２のユーザがプリント出力する際にパスワード入力を行って、親展トレイのカバーを開けるために入力されたパスワードと照合を行う必要があるが、パスワード入力の作業が煩雑であるととともに、パスワード照合待ちの間、他の出力が一時的に出力されない等、システムの可動性が低下する等の問題がある。
【０００４】
本発明の課題は、より簡易に、且つ、効率的に、機密性を確実に確保する画像形成システムを提供することである。
【課題を解決するための手段】
【０００５】
請求項１に記載の発明は、外部からプリントジョブを受け付けるコントローラと、
前記コントローラにより受け付けられたプリントジョブに基づいてプリント処理を行うプリント部と、
親展情報がプリントされた用紙が収容される親展トレイと、
前記親展トレイに収容された用紙を取り出すための取出口に開閉可能に備えられたトレイカバーと、
前記トレイカバーが開いているか否かを検出する開閉検出部と、
前記開閉検出部により、前記トレイカバーが開いていると検出された場合に、親展情報を含むプリントジョブに基づくプリント処理を保留して、親展情報を含まないプリントジョブに基づくプリント処理を実行させるように前記プリント部を制御する制御部と、
を備えることを特徴としている。
【０００６】
請求項２に記載の発明は、請求項１に記載の画像形成システムにおいて、
前記親展トレイに用紙が収容されているか否かを検出する用紙検出部を備え、
前記制御部は、前記用紙検出部により、前記親展トレイに用紙が収容されていると検出された場合に、親展情報を含むプリントジョブに基づくプリント処理を保留して、親展情報を含まないプリントジョブに基づくプリント処理を実行させるように前記プリント部を制御することを特徴としている。
【０００７】
請求項３に記載の発明は、請求項１又は２に記載の画像形成システムにおいて、
前記制御部は、前記開閉検出部により前記トレイカバーが閉まっていると検出された場合に、保留した親展情報を含むプリントジョブに基づくプリント処理の保留を解除することを特徴としている。
【０００８】
請求項４に記載の発明は、請求項２又は３に記載の画像形成システムにおいて、
前記制御部は、前記用紙検出部により前記親展トレイに用紙が収容されていないと検出された場合に、保留した親展情報を含むプリントジョブに基づくプリント処理の保留を解除することを特徴としている。
【０００９】
請求項５に記載の発明は、請求項１〜４の何れか一項に記載の画像形成システムにおいて、
前記制御部は、前記開閉検出部により前記トレイカバーが閉まっていると検出された場合に、保留した親展情報を含むプリントジョブに基づくプリント処理を、実行中のプリント処理に続いて実行させるように前記プリント部を制御することを特徴としている。
【００１０】
請求項６に記載の発明は、請求項２〜５の何れか一項に記載の画像形成システムにおいて、
前記制御部は、前記用紙検出部により前記親展トレイに用紙が収容されていないと検出された場合に、保留した親展情報を含むプリントジョブに基づくプリント処理を、実行中のプリント処理に続いて実行させるように前記プリント部を制御することを特徴としている。
【００１１】
請求項７に記載の発明は、請求項１〜６の何れか一項に記載の画像形成システムにおいて、
前記制御部は、プリントジョブを保留としてから所定時間経過した場合に、当該プリントジョブを削除することを特徴としている。
【００１２】
請求項８に記載の発明は、請求項１〜７の何れか一項に記載の画像形成システムにおいて、
前記プリントジョブはユーザ情報を含み、
前記制御部は、前記コントローラにより、親展情報を含む第１プリントジョブが受け付けられ、前記第１プリントジョブの次に親展情報を含む第２プリントジョブが受け付けられた場合であって、前記第１プリントジョブに基づくプリント処理の処理中若しくは終了後に前記開閉検出部により前記トレイカバーが開いていると検出された場合に、第１プリントジョブに含まれるユーザ情報と第２プリントジョブに含まれるユーザ情報とが一致するか否か判断し、一致すると判断した場合に、前記コントローラにより受け付けられた第２プリントジョブに基づくプリント処理を実行させるように前記プリント部を制御することを特徴としている。
【００１３】
請求項９に記載の発明は、請求項２〜７の何れか一項に記載の画像形成システムにおいて、
前記プリントジョブはユーザ情報を含み、
前記制御部は、前記コントローラにより、親展情報を含む第１プリントジョブが受け付けられ、前記第１プリントジョブの次に親展情報を含む第２プリントジョブが受け付けられた場合であって、前記第１プリントジョブに基づくプリント処理の処理中若しくは終了後に前記用紙検出部により前記親展トレイに用紙が収容されていると検出された場合に、第１プリントジョブに含まれるユーザ情報と第２プリントジョブに含まれるユーザ情報とが一致するか否か判断し、一致すると判断した場合に、前記コントローラにより受け付けられた第２プリントジョブに基づくプリント処理を実行させるように前記プリント部を制御することを特徴としている。
【００１４】
請求項１０に記載の発明は、請求項８又は９に記載の画像形成システムにおいて、
前記制御部は、前記コントローラにより、親展情報を含むプリントジョブが複数受け付けられた場合に、当該複数のプリントジョブのうちユーザ情報が同一であるプリントジョブに基づくプリント処理を連続して他のユーザ情報が同一のものがないプリントジョブより優先して実行させるように前記プリント部を制御することを特徴としている。
【００１５】
請求項１１に記載の発明は、請求項１〜１０の何れか一項に記載の画像形成システムにおいて、
複数の前記親展トレイと、
前記プリント部によりプリント処理される用紙を搬送する搬送部と、
を備え、
前記制御部は、所定の優先順位で、前記開閉検出部により前記トレイカバーが閉まっていると検出された前記親展トレイを検索し、前記搬送部を制御して、検索された前記親展トレイに前記プリント部によりプリント処理された用紙を搬送させることを特徴としている。
【００１６】
請求項１２に記載の発明は、請求項２〜１０の何れか一項に記載の画像形成システムにおいて、
複数の前記親展トレイと、
前記プリント部によりプリント処理される用紙を搬送する搬送部と、
を備え、
前記制御部は、所定の優先順位で、前記用紙検出部により前記親展トレイに用紙が収容されていないと検出された前記親展トレイを検索し、前記搬送部を制御して、検索された前記親展トレイに前記プリント部によりプリント処理された用紙を搬送させることを特徴としている。
【発明の効果】
【００１７】
請求項１に記載の発明によれば、煩雑なパスワード入力操作やパスワード照合を行わずとも、親展トレイのトレイカバーが開いている時には親展情報を含むプリントジョブのプリント処理が保留されて機密性が確保されることとなって、より簡易に、効率的に、機密性を確実に確保することができる。
また、親展トレイのトレイカバーが開いている時には、親展情報を含まないプリントジョブに基づくプリント処理は実行されるので、プリント処理の効率を低下させずに済む。
【００１８】
請求項２に記載の発明によれば、請求項１に記載の発明と同様の効果が得られるのは勿論のこと、特に、例えば、親展トレイに他の人の親展文書が収容されている場合に、親展情報を含むプリントジョブに基づくプリント処理が保留されることとなって、より確実に機密性を確実に確保することができる。
【００１９】
請求項３に記載の発明によれば、請求項１又は２に記載の発明と同様の効果が得られるのは勿論のこと、特に、親展トレイに誰もアクセスしていない状態となった場合には保留した親展情報を含むプリントジョブに基づくプリント処理が実行されることとなって、親展情報を含むプリントジョブに基づくプリント処理の保留時間を短くすることができる。
【００２０】
請求項４に記載の発明によれば、請求項２又は３に記載の発明と同様の効果が得られるのは勿論のこと、特に、親展トレイに誰も用紙を取りにくることがない状態となった場合には保留した親展情報を含むプリントジョブに基づくプリント処理が実行されることとなって、親展情報を含むプリントジョブに基づくプリント処理の保留時間を短くすることができる。
【００２１】
請求項５に記載の発明によれば、請求項１〜４の何れか一項に記載の発明と同様の効果が得られるのは勿論のこと、特に、トレイカバーが閉められると、保留された親展情報を含むプリントジョブに基づくプリント処理が優先して実行されることとなって、親展情報を含むプリントジョブに基づくプリント処理の保留時間を最小限に抑えることができる。
【００２２】
請求項６に記載の発明によれば、請求項２〜５の何れか一項に記載の発明と同様の効果が得られるのは勿論のこと、特に、親展トレイに収容されている用紙がなくなると、保留された親展情報を含むプリントジョブに基づくプリント処理が優先して実行されることとなって、親展情報を含むプリントジョブに基づくプリント処理の保留時間を最小限に抑えることができる。
【００２３】
請求項７に記載の発明によれば、請求項１〜６の何れか一項に記載の発明と同様の効果が得られるのは勿論のこと、特に、例えば、保留時間が所定時間経過した後に親展情報を含むプリントジョブのプリント処理が実行され、当該プリント処理を命じたユーザが外出などによりプリント処理された親展文書を取りに来れなくなり、その結果、親展トレイに当該親展文書が入りっぱなしになって、他の親展文書が保留されっぱなしになってしまうという事態を防ぐことができる。
【００２４】
請求項８に記載の発明によれば、請求項１〜７の何れか一項に記載の発明と同様の効果が得られるのは勿論のこと、特に、第１プリントジョブに基づくプリント処理によりプリントされた親展文書が収容された親展トレイのトレイカバーが開けられている場合でも、第１プリントジョブと第２プリントジョブのユーザ情報が一致する場合には、第２プリントジョブに基づくプリント処理が実行されることとなり、効率的に親展情報を含むプリントジョブに基づくプリント処理を行うことができる。
【００２５】
請求項９に記載の発明によれば、請求項２〜７の何れか一項に記載の発明と同様の効果が得られるのは勿論のこと、特に、第１プリントジョブに基づくプリント処理によりプリントされた親展文書が収容されている場合でも、第１プリントジョブと第２プリントジョブのユーザ情報が一致する場合には、第２プリントジョブに基づくプリント処理が実行されることとなり、効率的に親展情報を含むプリントジョブに基づくプリント処理を行うことができる。
【００２６】
請求項１０に記載の発明によれば、請求項８又は９に記載の発明と同様の効果が得られるのは勿論のこと、特に、同一ユーザから断続的に詳細情報を含むプリントジョブが受け付けられた場合に、複数の詳細情報を含むプリントジョブによるプリント処理が保留される回数を少なくすることができ、効率がよい。
【００２７】
請求項１１に記載の発明によれば、請求項１〜１０の何れか一項に記載の発明と同様の効果が得られるのは勿論のこと、特に、複数の親展トレイのうち、トレイカバーの開いていない親展トレイに親展情報を含むプリントジョブに基づいてプリント処理された用紙が排紙されることとなって、機密性を確実に確保することができる。
【００２８】
請求項１２に記載の発明によれば、請求項２〜１０の何れか一項に記載の発明と同様の効果が得られるのは勿論のこと、特に、複数の親展トレイのうち、用紙が収容されていない親展トレイに親展情報を含むプリントジョブに基づいてプリント処理された用紙が排紙されることとなって、機密性を確実に確保することができる。
【発明を実施するための最良の形態】
【００２９】
以下、図面を参照して本発明の最良の形態について詳細に説明する。ただし、発明の範囲は、図示例に限定されない。また、限定的な表現をする場合があるが、これに限られるものではない。
【００３０】
（第１の実施形態）
本発明の第１の実施形態に係る画像形成システム１０００は、例えば、図１に示すように、ネットワークＮ等を介して、ＰＣ２００，・・・等の外部機器と接続される画像形成装置１００、当該画像形成装置１００とシリアル回線（図示省略）等を介して接続される後処理装置３００等を備えて構成されている。
なお、画像形成装置１００に接続されるＰＣ２００，・・・の数は、図示例に限定されるものではない。
【００３１】
画像形成装置１００は、例えば、図２に示すように、プリンタコントローラ１（コントローラ），画像形成制御部２等を備えて構成されている。
【００３２】
プリンタコントローラ１は、例えば、図２に示すように、ＬＡＮＩＦ（Local  Area  Network  Interface）１Ａ，コントローラ制御部１Ｂ等を備えて構成されており、画像形成装置１００と、ネットワークＮ上のＰＣ２００等の外部機器（図示省略）とを通信可能に接続し、ＰＣ２００等の外部機器から送信されるプリントジョブを受け付ける。
【００３３】
画像形成制御部２は、例えば、図２に示すように、外部Ｉ／Ｆ部３，スキャナ部４，操作表示部５，画像メモリ６，プリント部７，タイマ部８，通信部９，制御部１０等を備えて構成されている。
【００３４】
外部Ｉ／Ｆ部３は、例えば、プリンタコントローラ１から入力される画像データを受信するインターフェースである。具体的には、外部Ｉ／Ｆ部３は、例えば、プリンタコントローラ１を介してＰＣ２００等の外部機器から送信されたプリントジョブを受信する。
【００３５】
スキャナ部４は、例えば、原稿に対し光を照射し、反射される光をＣＣＤ（Charged  Coupled  Device）やＣＭＯＳ（Complementary  Metal-Oxide  Semiconductor）等の光電変換装置で捉え、捉えたアナログの電気信号から図示しないＡ／Ｄ変換器によりデジタル信号（画像信号）に変換することにより原稿の読み取りを行う。
【００３６】
操作表示部５は、例えば、表示部（図示省略），赤外線式や静電式のタッチパネル（図示省略）や各種の操作キー（図示省略）を備えて構成され、ユーザにより操作されることにより各種の操作信号を制御部１０に出力する。
また、操作表示部５の表示部は、例えば、ＣＲＴ（Cathode  Ray  Tube）から構成されるディスプレイあるいはＴＦＴ（Thin  film  Transistor）素子や有機ＥＬ（Electro  Luminescent）素子等から構成されるＦＰＤ（Flat  Display  Panel）等を備えて構成されている。そして、操作表示部５の表示部は、制御部１０から出力される表示信号に基づいて、画像形成装置１００の操作メッセージを始めとした各種の案内を表す文章や単語、操作に供する操作画面（図示省略）の画像を表示する。また、操作表示部５の表示部は、例えば、タッチパネルと一体に構成されており、ユーザは、表示部に表示された操作画面の各種ボタンを押下することで入力指示を行うようになっている。
【００３７】
画像メモリ６は、例えば、外部Ｉ／Ｆ部３により受信されたプリントジョブを予約ジョブとして一時的に記憶している。具体的には、画像メモリ６は、例えば、プリントジョブに含まれ、圧縮処理された画像データを格納するとともに、プリント出力前のプリント出力対象の被圧縮画像データを一時的に格納している。
【００３８】
プリント部７は、例えば、電子写真プロセス等により各種の画像形成を行う公知の画像形成機構から構成されるものである。なお、プリント部７はこれに限定されるものではなく、インク吐出方式やラインプリンタ等の種々の画像形成機構を適用することができる。そして、プリント部７は、例えば、制御部１０から入力される制御信号に従って記録媒体（用紙）に画像形成を行うことにより、プリントジョブに基づいてプリント処理を行う。ここで、プリントジョブは、画像データの他に、例えば、機密であることを示す親展情報と、ユーザ情報とを含む。
【００３９】
タイマ部８は、例えば、計時回路（図示省略）等を備えて構成され、制御部１０により制御されて、プリントジョブが保留とされてからの時間を計時する。
【００４０】
通信部９は、例えば、シリアル回線等の通信ネットワークに接続され、画像形成装置１００と後処理装置３００との間の通信を行う。
【００４１】
制御部１０は、例えば、ＣＰＵ（Central  Processing  Unit）、ＲＡＭ（Random  Access  Memory）、ＲＯＭ（Read  Only  Memory）等を備えて構成され、ＲＯＭに格納された処理プログラム等を読み出して、ＲＡＭに展開して実行することにより、画像形成装置１００全体の制御を行う。
【００４２】
具体的には、制御部１０は、例えば、画像形成装置１００の各部の状態を検査し、検査結果に基づいて、プリントジョブに基づくプリント処理が可能か否かを判断する。例えば、制御部１０は、プリント部７の状態が画像形成中である場合には、プリントジョブに基づくプリント処理が不可能と判断する。
【００４３】
また、制御部１０は、例えば、外部Ｉ／Ｆ部３により受信されたプリントジョブが、機密であることを示す親展情報を含むか否かを判断する。また、制御部１０は、例えば、画像メモリ６に記憶されたプリントジョブが親展情報を含むか否かを判断する。
【００４４】
また、制御部１０は、例えば、プリント処理が可能と判断した場合であり、且つ、プリントジョブが、機密であることを示す親展情報を含むと判断した場合に、後処理装置３００から送信されるトレイカバー開閉信号（後述）に基づいてトレイカバー１６Ｃ（後述）が開いているか否かを判断するとともに、後処理装置３００から送信される用紙検出信号（後述）に基づいて親展トレイ１６Ｂ（後述）に用紙が収容されているか否かを判断し、トレイカバー１６Ｃが開いていると判断した場合、又は、親展トレイ１６Ｂに用紙が収容されていると判断した場合に、親展情報を含むプリントジョブに基づくプリント処理を保留して、親展情報を含まないプリントジョブに基づくプリント処理を実行させるようにプリント部７を制御する。
また、制御部１０は、例えば、後処理装置３００から送信されるトレイカバー開閉信号に基づいてトレイカバー１６Ｃが閉まっていると判断し、且つ、後処理装置３００から送信される用紙検出信号に基づいて親展トレイ１６Ｂに用紙が収容されていないと判断した場合に、保留した親展情報を含むプリントジョブに基づくプリント処理の保留を解除する。具体的には、制御部１０は、例えば、後処理装置３００から送信されるトレイカバー開閉信号に基づいてトレイカバー１６Ｃが閉まっていると判断し、且つ、後処理装置３００から送信される用紙検出信号に基づいて親展トレイ１６Ｂに用紙が収容されていないと判断した場合に、保留した親展情報を含むプリントジョブに基づくプリント処理を、実行中のプリント処理に続いて実行させるようにプリント部７を制御する。
また、制御部１０は、例えば、外部Ｉ／Ｆ部３により、親展情報を含む第１プリントジョブが受け付けられ、第１プリントジョブの次に親展情報を含む第２プリントジョブが受け付けられた場合であって、第１プリントジョブに基づくプリント処理の処理中若しくは終了後に、後処理装置３００から送信されるトレイカバー開閉信号に基づいてトレイカバー１６Ｃが開いていると判断した場合、又は、後処理装置３００から送信される用紙検出信号に基づいて親展トレイ１６Ｂに用紙が収容されていると判断した場合に、第１プリントジョブに含まれるユーザ情報と第２プリントジョブに含まれるユーザ情報とが一致するか否か判断し、一致すると判断した場合に、外部Ｉ／Ｆ部３により受け付けられた第２プリントジョブに基づくプリント処理を実行させるようにプリント部７を制御する。
また、制御部１０は、例えば、外部Ｉ／Ｆ部３により、親展情報を含むプリントジョブが複数受信された場合に、当該複数のプリントジョブのうちユーザ情報が同一であるプリントジョブに基づくプリント処理を連続して他のユーザ情報が同一のものがないプリントジョブより優先して実行させるようにプリント部７を制御する。
また、制御部１０は、例えば、プリント部７によりプリント処理を実行するプリントジョブに親展情報が含まれる場合に、通信部９を制御して、親展トレイ排紙命令信号を後処理装置３００に送信させる。
また、制御部１０は、例えば、プリント処理が不可能と判断した場合に、プリントジョブに基づくプリント処理を保留する。
【００４５】
また、制御部１０は、例えば、外部Ｉ／Ｆ部３により受信されたプリントジョブを予約ジョブとして画像メモリ６に記憶させ、プリント部７によりプリント処理が実行されたプリントジョブを画像メモリ６から削除する。
また、制御部１０は、例えば、保留としたプリントジョブを予約ジョブとして画像メモリ６に記憶する。
具体的には、制御部１０は、例えば、第１プリントジョブに含まれるユーザ情報と第２プリントジョブに含まれるユーザ情報とが一致しないと判断し、第２プリントジョブに基づくプリント処理を保留とした場合に、画像メモリ６に記憶されている当該第２プリントジョブのユーザ情報と一致するユーザ情報のプリントジョブであって親展情報を含むプリントジョブのうち、優先順位の最も低いプリントジョブの次にプリント処理が実行されるプリントジョブとして、第２プリントジョブを画像メモリ６に記憶させる。
また、制御部１０は、例えば、プリント処理が不可能と判断して、プリントジョブに基づくプリント処理を保留し、保留したプリントジョブに親展情報が含まれないと判断した場合に、外部Ｉ／Ｆ部３による受付順に従った優先順位で画像メモリ６に当該プリントジョブを記憶させる。
また、制御部１０は、例えば、プリント処理が不可能と判断して、プリントジョブに基づくプリント処理を保留し、保留したプリントジョブに親展情報が含まれると判断した場合に、画像メモリ６に記憶され、保留したプリントジョブに含まれるユーザ情報とユーザ情報が一致するプリントジョブであって親展情報を含むプリントジョブのうち最も低い優先順位のプリントジョブの次の優先順位のプリントジョブとして当該保留したプリントジョブを記憶する。
また、制御部１０は、例えば、プリントジョブを保留としてから所定時間経過した場合に、当該プリントジョブを画像メモリ６から削除する。
具体的には、制御部１０は、例えば、、タイマ部８を制御して、プリントジョブを保留としてからの時間を計時させ、タイマ部８による計時に基づき、プリントジョブを保留としてから所定時間が経過したか否かを判断し、所定時間が経過したと判断した場合に、当該プリントジョブを画像メモリ６から削除する。
【００４６】
後処理装置３００は、例えば、図２に示すように、通信部１１，綴じ機構１２，折り機構１３，パンチ機構１４，搬送部１５，排紙部１６，制御部１７等を備えて構成されている。
【００４７】
通信部１１は、例えば、シリアル回線等の通信ネットワークに接続され、後処理装置３００と画像形成装置１００との間の通信を行う。
【００４８】
綴じ機構１２は、例えば、スタック台（図示省略），ステイプラ（図示省略）等を備えて構成され、スタック台に搬送された用紙の束を幅整合し、ステイプラにより綴じ針で綴じるステイプル処理を行う。
【００４９】
折り機構１３は、当該折り機構１３に搬送された用紙に対して中折り処理，３つ折り処理，Ｚ折り処理等の折り処理を行う。
【００５０】
パンチ機構１４は、例えば、当該パンチ機構１４に搬送された用紙を幅整合し、所定位置にパンチ穴を開けるパンチ処理を行う。
【００５１】
搬送部１５は、例えば、複数のローラ（図示省略），当該ローラを回動させるモータ（図示省略）等を備えて構成され、画像形成装置１００から搬送された用紙を、綴じ機構１２，折り機構１３，パンチ機構１４等の各部へ搬送した後、排紙部１６へと搬送する。具体的には、搬送部１５は、制御部１７から入力される制御信号に従って、親展情報を含むプリントジョブに基づくプリント処理が行われた用紙を親展トレイ１６Ｂ（後述）に排紙し、親展情報を含まないプリントジョブに基づくプリント処理が行われた用紙を通常トレイ１６Ａ（後述）へ排紙する。
【００５２】
排紙部１６は、例えば、図２に示すように、通常トレイ１６Ａ，親展トレイ１６Ｂ，トレイカバー１６Ｃ，開閉検出部１６Ｄ，用紙検出部１６Ｅ等を備えて構成されている。
通常トレイ１６Ａは、例えば、親展情報を含まないプリントジョブに基づくプリント処理が行われた用紙を収容する。
親展トレイ１６Ｂは、例えば、親展情報を含むプリントジョブに基づくプリント処理が行われた用紙を収容する。
トレイカバー１６Ｃは、例えば、親展トレイ１６Ｂに収容された用紙を取り出すための取出口に開閉可能に備えられている。
開閉検出部１６Ｄは、例えば、トレイカバー１６Ｃが開けられた場合に当該トレイカバー１６Ｃによって押下されるスイッチ等を備えて構成され、トレイカバー１６Ｃが開いているか否かを検出し、制御部１７にトレイカバー開閉信号を出力する。
用紙検出部１６Ｅは、例えば、発光部（図示省略），受光部（図示省略）等を備えて構成され、発光部及び受光部は、当該発光部から照射された光が、親展トレイ１６Ｂに収容される用紙により遮られて受光部により受光できない位置に配置されている。そして、用紙検出部１６Ｅは、発光部から照射された光が受光部により受光されるか否かに基づいて、親展トレイ１６Ｂにより用紙が収容されているか否かを検出し、用紙検出信号を制御部１７に出力する。なお、用紙検出部１６Ｅは、親展トレイ１６Ｂに収容された用紙を検出することができるものであれば、何であってもよい。
【００５３】
制御部１７は、例えば、ＣＰＵ、ＲＡＭ、ＲＯＭ等を備え、ＲＯＭに格納された処理プログラム等を読み出して、ＲＡＭに展開して実行することにより、後処理装置３００全体の制御を行う。
【００５４】
制御部１７は、例えば、搬送部１５を制御して、画像形成装置１００から搬送された用紙を、綴じ機構１２，折り機構１３，パンチ機構１４等の各部へ搬送した後、排紙部１６へと搬送させる。
具体的には、制御部１７は、例えば、通信部１１により、画像形成装置１００から送信される親展トレイ排紙命令信号が受信された場合に、搬送部１５を制御して、画像形成装置１００から搬送された用紙を綴じ機構１２，折り機構１３，パンチ機構１４等の各部へ搬送した後、親展トレイ１６Ｂへと搬送させる。
【００５５】
また、制御部１７は、例えば、通信部１１を制御して、画像形成装置１００に、トレイカバー開閉信号、用紙検出信号を送信させるとともに、画像形成装置１００から送信される親展トレイ排紙命令信号を受信させる。ここで、トレイカバー開閉信号とは、親展トレイ１６Ｂのトレイカバー１６Ｃ（後述）が開いているか否かについての信号であって、開閉検出部１６Ｄから制御部１７に出力される。また、用紙検出信号とは、親展トレイ１６Ｂ内に用紙が収容されているか否かについての信号であって、用紙検出部１６Ｅから制御部１７に出力される。
【００５６】
次に、上述のような構成の本発明の第１の実施形態に係る画像形成システム１０００におけるプリント動作の一例を図３に示すフローチャートを参照しながら説明する。
まず、画像形成装置１００の外部Ｉ／Ｆ部３により、プリンタコントローラ１を介してＰＣ２００等の外部機器から送信されたプリントジョブが受信されると（ステップＳ１）、制御部１０は、画像形成装置１００の各部の状態を検査し、検査結果に基づいて、プリントジョブに基づくプリント処理が可能か否かを判断する（ステップＳ２）。
【００５７】
ステップＳ２において、制御部１０が、プリント処理が可能と判断した場合には（ステップＳ２；Ｙｅｓ）、制御部１０は、外部Ｉ／Ｆ部３により受信されたプリントジョブが親展情報を含むか否かを判断する（ステップＳ３）。
【００５８】
ステップＳ３において、制御部１０が、プリントジョブに親展情報が含まれないと判断した場合には（ステップＳ３；Ｎｏ）、制御部１０は、プリント部７を制御して、当該プリントジョブに基づくプリント処理を実行させ（ステップＳ４）、本処理を終了する。
【００５９】
ステップＳ３において、制御部１０が、プリントジョブに親展情報が含まれると判断した場合には（ステップＳ３；Ｙｅｓ）、制御部１０は、後処理装置３００から送信されるトレイカバー開閉信号に基づいてトレイカバー１６Ｃが開いているか否かを判断するとともに、後処理装置３００から送信される用紙検出信号に基づいて親展トレイ１６Ｂに用紙が収容されているか否かを判断する（ステップＳ５）。
【００６０】
ステップＳ５において、制御部１０が、トレイカバー１６Ｃが開いていないと判断し、且つ、親展トレイ１６Ｂに用紙が収容されていないと判断した場合には（ステップＳ５；Ｎｏ）、ステップＳ７に進む。
【００６１】
ステップＳ５において、制御部１０が、トレイカバー１６Ｃが開いていると判断した場合、又は、親展トレイ１６Ｂに用紙が収容されていると判断した場合には（ステップＳ５；Ｙｅｓ）、制御部１０は、ステップＳ１において受信されたプリントジョブより前に受信された親展情報を含むプリントジョブのうち最終のプリントジョブのユーザ情報と、ステップＳ１において受信されたプリントジョブのユーザ情報とが一致するか否かを判断する（ステップＳ６）。
【００６２】
ステップＳ６において、制御部１０が、ユーザ情報が一致すると判断した場合には（ステップＳ６；Ｙｅｓ）、制御部１０は、プリント部７に、ステップＳ１において受信したプリントジョブに基づくプリント処理を実行させ（ステップＳ７）、当該プリントジョブに含まれるユーザ情報（ユーザ名）をＲＡＭに記憶させ（ステップＳ８）、本処理を終了する。
【００６３】
ステップＳ６において、制御部１０が、ユーザ情報が一致しないと判断した場合には（ステップＳ６；Ｎｏ）、制御部１０は、ステップＳ１において受信されたプリントジョブに基づくプリント処理を保留とするとともに、画像メモリ６に記憶され、ステップＳ１において受信されたプリントジョブのユーザ情報と一致するユーザ情報のプリントジョブであって親展情報を含むプリントジョブのうち、優先順位の最も低いプリントジョブの次にプリント処理が実行されるプリントジョブ（予約ジョブ）として、ステップＳ１において受信されたプリントジョブを画像メモリ６に記憶させる（ステップＳ９）。
【００６４】
次に、制御部１０は、タイマ部８を制御して、プリントジョブを保留としてからの時間を計時させ、タイマ部８による計時に基づき、プリントジョブを保留としてから所定時間が経過したか否かを判断する（ステップＳ１０）。
【００６５】
ステップＳ１０において、制御部１０が、プリントジョブを保留としてから所定時間経過していないと判断した場合には（ステップＳ１０；Ｎｏ）、ステップＳ１０の処理を繰り返す。
ステップＳ１０において、制御部１０が、プリントジョブを保留としてから所定時間経過したと判断した場合には（ステップＳ１０；Ｙｅｓ）、制御部１０は、画像メモリ６から、ステップＳ９において記憶したプリントジョブを削除し（ステップＳ１１）、本処理を終了する。
【００６６】
ステップＳ２において、制御部１０が、プリント処理が不可能と判断した場合には（ステップＳ２；Ｎｏ）、制御部１０は、ステップＳ１において受信したプリントジョブに基づくプリント処理を保留する（ステップＳ１２）。
次に、制御部１０は、外部Ｉ／Ｆ部３により受信されたプリントジョブが親展情報を含むか否かを判断する（ステップＳ１３）。
【００６７】
ステップＳ１３において、制御部１０が、保留したプリントジョブに親展情報が含まれないと判断した場合には（ステップＳ１３；Ｎｏ）、ステップＳ１５に進む。
【００６８】
ステップＳ１３において、制御部１０が、保留したプリントジョブに親展情報が含まれると判断した場合には（ステップＳ１３；Ｙｅｓ）、制御部１０は、保留したプリントジョブに含まれるユーザ情報とユーザ情報が一致するプリントジョブであって親展情報を含むプリントジョブが画像メモリ６に記憶されているか否かを判断する（ステップＳ１４）。
【００６９】
ステップＳ１４において、制御部１０が、保留したプリントジョブに含まれるユーザ情報とユーザ情報が一致するプリントジョブであって親展情報を含むプリントジョブが画像メモリ６に記憶されていないと判断した場合には（ステップＳ１４；Ｎｏ）、制御部１０は、外部Ｉ／Ｆ部３による受付順に従った優先順位で画像メモリ６に当該プリントジョブを予約ジョブとして記憶させ（ステップＳ１５）、本処理を終了する。
【００７０】
ステップＳ１４において、制御部１０が、保留したプリントジョブに含まれるユーザ情報とユーザ情報が一致するプリントジョブであって親展情報を含むプリントジョブが画像メモリ６に記憶されていると判断した場合には（ステップＳ１４；Ｙｅｓ）、制御部１０は、画像メモリ６に記憶され、保留したプリントジョブに含まれるユーザ情報とユーザ情報が一致するプリントジョブであって親展情報を含むプリントジョブのうち最も低い優先順位のプリントジョブの次の優先順位のプリントジョブ（予約ジョブ）として当該保留したプリントジョブを記憶する（ステップＳ１６）。
【００７１】
次に、制御部１０は、タイマ部８を制御して、プリントジョブを保留としてからの時間を計時させ、タイマ部８による計時に基づき、プリントジョブを保留としてから所定時間が経過したか否かを判断する（ステップＳ１７）。
【００７２】
ステップＳ１７において、制御部１０が、プリントジョブを保留としてから所定時間経過していないと判断した場合には（ステップＳ１７；Ｎｏ）、ステップＳ１７の処理を繰り返す。
ステップＳ１７において、制御部１０が、プリントジョブを保留としてから所定時間経過したと判断した場合には（ステップＳ１７；Ｙｅｓ）、制御部１０は、画像メモリ６から、ステップＳ１６において記憶したプリントジョブを削除し（ステップＳ１８）、本処理を終了する。
【００７３】
次に、本発明の第１の実施形態に係る画像形成システム１０００における保留したプリントジョブに基づくプリント動作の一例を図４に示すフローチャートを参照しながら説明する。
まず、後処理装置３００から、トレイカバー１６Ｃが閉まったことを示すトレイカバー開閉信号（トレイカバー閉情報）を受信し、且つ、親展トレイ１６Ｂに用紙が収容されていないことを示す用紙検出信号を受信すると（ステップＳ１０１）、制御部１０は、画像メモリ６に予約ジョブが記憶されているか否かを判断する（ステップＳ１０２）。
【００７４】
ステップＳ１０２において、制御部１０が、画像メモリ６に予約ジョブが記憶されていないと判断した場合には（ステップＳ１０２；Ｎｏ）、本処理を終了する。
ステップＳ１０２において、制御部１０が、画像メモリ６に予約ジョブが記憶されていると判断した場合には（ステップＳ１０２；Ｙｅｓ）、制御部１０は、画像形成装置１００の各部の状態を検査し、検査結果に基づいて、プリントジョブに基づくプリント処理が可能か否かを判断する（ステップＳ１０３）。
【００７５】
ステップＳ１０３において、制御部１０が、プリンタ処理が不可能と判断した場合には（ステップＳ１０３；Ｎｏ）、制御部１０は、画像メモリ６に記憶されているプリントジョブ（予約ジョブ）に基づくプリント処理を保留し（ステップＳ１０４）、本処理を終了する。
【００７６】
ステップＳ１０３において、制御部１０が、プリンタ処理が可能と判断した場合には（ステップＳ１０３；Ｙｅｓ）、制御部１０は、画像メモリ６に記憶されているプリントジョブ（予約ジョブ）が親展情報を含むか否かを判断する（ステップＳ１０５）。
【００７７】
ステップＳ１０５において、制御部１０が、画像メモリ６に記憶されているプリントジョブ（予約ジョブ）が親展情報を含まないと判断した場合には（ステップＳ１０５；Ｎｏ）、画像メモリ６に記憶されているプリントジョブに基づくプリント処理をプリント部７に実行させ（ステップＳ１０６）、本処理を終了する。
【００７８】
ステップＳ１０５において、制御部１０が、画像メモリ６に記憶されているプリントジョブ（予約ジョブ）が親展情報を含むと判断した場合には（ステップＳ１０５；Ｙｅｓ）、制御部１０は、プリント部７に、当該プリントジョブに基づくプリント処理を実行させ（ステップＳ１０７）、当該プリントジョブに含まれるユーザ情報（ユーザ名）をＲＡＭに記憶させ（ステップＳ１０８）、本処理を終了する。
【００７９】
次に、第１の実施形態に係る画像形成システム１０００における、複数のプリントジョブを受信した場合におけるプリント処理順序の決定動作について、図５に示すフローチャートを参照しながら説明する。
まず、画像形成装置１００の外部Ｉ／Ｆ部３により、複数のプリントジョブが受信されると（ステップＳ２０１）、制御部１０は、外部Ｉ／Ｆ部３により受信されたプリントジョブに、親展情報を含むプリントジョブ（親展ジョブ）が複数含まれるか否かを判断する（ステップＳ２０２）。
【００８０】
ステップＳ２０２において、制御部１０が、ステップＳ２０１において受信した複数のプリントジョブに、親展情報を含むプリントジョブが複数含まれないと判断した場合には（ステップＳ２０２；Ｎｏ）、ステップＳ２０４へ進む。
【００８１】
ステップＳ２０２において、制御部１０が、ステップＳ２０１において受信した複数のプリントジョブに、親展情報を含むプリントジョブが複数含まれると判断した場合には（ステップＳ２０２；Ｙｅｓ）、制御部１０は、親展情報を含む複数のプリントジョブのうち、ユーザ情報が同一であるプリントジョブがあるか否かを判断する（ステップＳ２０３）。
【００８２】
ステップＳ２０３において、制御部１０が、親展情報を含む複数のプリントジョブのうち、ユーザ情報が同一であるプリントジョブがないと判断した場合には、制御部１０は、外部Ｉ／Ｆ部３による受付順に従って、プリントジョブに基づくプリント処理を実行させるようにプリント部７を制御して（ステップＳ２０４）、本処理を終了する。
【００８３】
ステップＳ２０３において、制御部１０が、親展情報を含む複数のプリントジョブのうち、ユーザ情報が同一であるプリントジョブがあると判断した場合には、制御部１０は、ステップＳ２０１において外部Ｉ／Ｆ部３により受け付けられた当該複数のプリントジョブのうち、ユーザ情報が同一である親展情報を含むプリントジョブに基づくプリント処理を連続して他のユーザ情報が同一のものがないプリントジョブに基づくプリント処理より優先して実行させるようにプリント部７を制御し（ステップＳ２０５）、本処理を終了する。
【００８４】
以上に説明した、本発明の第１の実施形態に係る画像形成システム１０００によれば、外部Ｉ／Ｆ部３により、プリントジョブが受け付られ、制御部１０により、プリント部７が制御されて、外部Ｉ／Ｆ部３によって受け付けられたプリントジョブに基づいてプリント処理が行われ、親展トレイ１６Ｂにより、機密である親展文書がプリントされた用紙が収容され、親展トレイ１６Ｂに収容された用紙を取り出すための取出口にトレイカバー１６Ｃが開閉可能に備えられ、開閉検出部１６Ｄにより、トレイカバー１６Ｃが開いているか否かが検出され、制御部１０により、開閉検出部１６Ｄによってトレイカバー１６Ｃが開いていると検出された場合に、親展情報を含むプリントジョブに基づくプリント処理を保留して、親展情報を含まないプリントジョブに基づくプリント処理を実行させるようにプリント部７が制御されるので、煩雑なパスワード入力操作やパスワード照合を行わずとも、親展トレイ１６Ｂのトレイカバー１６Ｃが開いている時には親展情報を含むプリントジョブのプリント処理が保留されて機密性が確保されることとなって、より簡易に、効率的に、機密性を確実に確保することができる。
また、親展トレイ１６Ｂのトレイカバー１６Ｃが開いている時には、親展情報を含まないプリントジョブに基づくプリント処理は実行されるので、プリント処理の効率を低下させずに済む。
【００８５】
また、用紙検出部１６Ｅにより、親展トレイ１６Ｂに用紙が収容されているか否かが検出され、制御部１０により、用紙検出部１６Ｅによって親展トレイ１６Ｂに用紙が収容されていると検出された場合に、親展情報を含むプリントジョブに基づくプリント処理を保留して、親展情報を含まないプリントジョブに基づくプリント処理を実行させるようにプリント部７が制御されるので、例えば、親展トレイ１６Ｂに他の人の親展文書が収容されている場合に、親展情報を含むプリントジョブに基づくプリント処理が保留されることとなって、より確実に機密性を確実に確保することができる。
【００８６】
また、制御部１０により、開閉検出部１６Ｄによってトレイカバー１６Ｃが閉まっていると検出された場合に、保留した親展情報を含むプリントジョブに基づくプリント処理の保留が解除されるので、親展トレイ１６Ｂに誰もアクセスしていない状態となった場合には保留した親展情報を含むプリントジョブに基づくプリント処理が実行されることとなって、親展情報を含むプリントジョブに基づくプリント処理の保留時間を短くすることができる。
【００８７】
また、制御部１０により、用紙検出部１６Ｅによって親展トレイ１６Ｂに用紙が収容されていないと検出された場合に、保留した親展情報を含むプリントジョブに基づくプリント処理の保留が解除されるので、親展トレイ１６Ｂに誰も用紙を取りにくることがない状態となった場合には保留した親展情報を含むプリントジョブに基づくプリント処理が実行されることとなって、親展情報を含むプリントジョブに基づくプリント処理の保留時間を短くすることができる。
【００８８】
また、制御部１０により、開閉検出部１６Ｄによってトレイカバー１６Ｃが閉まっていると検出された場合に、保留した親展情報を含むプリントジョブに基づくプリント処理を、実行中のプリント処理に続いて実行させるようにプリント部７が制御されるので、トレイカバー１６Ｃが閉められると、保留された親展情報を含むプリントジョブに基づくプリント処理が優先して実行されることとなって、親展情報を含むプリントジョブに基づくプリント処理の保留時間を最小限に抑えることができる。
【００８９】
また、制御部１０により、用紙検出部１６Ｅによって親展トレイ１６Ｂに用紙が収容されていないと検出された場合に、保留した親展情報を含むプリントジョブに基づくプリント処理を、実行中のプリント処理に続いて実行させるようにプリント部７が制御されるので、親展トレイ１６Ｂに収容されている用紙がなくなると、保留された親展情報を含むプリントジョブに基づくプリント処理が優先して実行されることとなって、親展情報を含むプリントジョブに基づくプリント処理の保留時間を最小限に抑えることができる。
【００９０】
また、制御部１０により、プリントジョブが保留とされてから所定時間経過した場合に、当該プリントジョブが削除されるので、例えば、保留時間が所定時間経過した後に、親展情報を含むプリントジョブのプリント処理を命じたユーザが外出などによりプリント処理された親展文書を取りに来れなくなり、その結果、親展トレイ１６Ｂに当該親展文書が入りっぱなしになって、他の親展文書が保留されっぱなしになってしまうという事態を防ぐことができる。
【００９１】
また、プリントジョブにユーザ情報が含まれ、制御部１０により、外部Ｉ／Ｆ部３によって親展情報を含む第１プリントジョブと、第１プリントジョブの次に受け付けられた親展情報を含む第２プリントジョブとが受け付けられた場合であって、第１プリントジョブに基づくプリント処理の終了後に開閉検出部１６Ｄによりトレイカバー１６Ｃが開いていると検出された場合に、第１プリントジョブに含まれるユーザ情報と第２プリントジョブに含まれるユーザ情報とが一致するか否かが判断され、一致すると判断された場合に、外部Ｉ／Ｆ部３により受け付けられた第２プリントジョブに基づくプリント処理を実行させるようにプリント部７が制御されるので、第１プリントジョブに基づくプリント処理によりプリントされた親展文書が収容された親展トレイ１６Ｂのトレイカバー１６Ｃが開けられている場合でも、第１プリントジョブと第２プリントジョブのユーザ情報が一致する場合には、第２プリントジョブに基づくプリント処理が実行されることとなり、効率的に親展情報を含むプリントジョブに基づくプリント処理を行うことができる。
【００９２】
また、プリントジョブにユーザ情報が含まれ、制御部１０により、外部Ｉ／Ｆ部３によって親展情報を含む第１プリントジョブと、第１プリントジョブの次に受け付けられた親展情報を含む第２プリントジョブとが受け付けられた場合であって、第１プリントジョブに基づくプリント処理の終了後に用紙検出部１６Ｅにより親展トレイ１６Ｂに用紙が収容されていると検出された場合に、第１プリントジョブに含まれるユーザ情報と第２プリントジョブに含まれるユーザ情報とが一致するか否かが判断され、一致すると判断された場合に、外部Ｉ／Ｆ部３により受け付けられた第２プリントジョブに基づくプリント処理を実行させるようにプリント部７が制御されるので、第１プリントジョブに基づくプリント処理によりプリントされた親展文書が収容されている場合でも、第１プリントジョブと第２プリントジョブのユーザ情報が一致する場合には、第２プリントジョブに基づくプリント処理が実行されることとなり、効率的に親展情報を含むプリントジョブに基づくプリント処理を行うことができる。
【００９３】
また、制御部１０により、外部Ｉ／Ｆ部３によって親展情報を含むプリントジョブが複数受け付けられた場合に、当該複数のプリントジョブのうちユーザ情報が同一であるプリントジョブに基づくプリント処理を連続して他のプリントジョブより優先して実行させるようにプリント部７が制御されるので、同一ユーザから断続的に詳細情報を含むプリントジョブが受け付けられた場合に、複数の詳細情報を含むプリントジョブによるプリント処理が保留される回数を少なくすることができ、効率がよい。
【００９４】
（第２の実施形態）
本発明の第２の実施形態に係る画像形成システム２０００は、例えば、図６に示すように、画像形成装置１００に対して後処理装置３００が複数備えられ、画像形成装置１００の制御部１０Ａ及び後処理装置３００の制御部１７Ａの構成のみが第１の実施形態に係る画像形成システム１０００と異なるので、同一の構成については同一の符号を付すとともに、その説明を省略する。
なお、画像形成装置１００に対して備えられる後処理装置３００の台数は、図示例に限定されるものではなく、任意である。
【００９５】
制御部１０Ａは、例えば、プリント処理が可能と判断した場合であり、且つ、プリントジョブが、機密であることを示す親展情報を含むと判断した場合に、複数の後処理装置３００から送信されるトレイカバー開閉信号に基づいてトレイカバー１６Ｃが開いているか否かを判断するとともに、複数の後処理装置３００から送信される用紙検出信号に基づいて親展トレイ１６Ｂに用紙が収容されているか否かを判断し、全ての後処理装置３００のトレイカバー１６Ｃが開いていると判断した場合、又は、全ての後処理装置３００の親展トレイ１６Ｂに用紙が収容されていると判断した場合に、親展情報を含むプリントジョブに基づくプリント処理を保留して、親展情報を含まないプリントジョブに基づくプリント処理を実行させるようにプリント部７を制御する。
また、制御部１０Ａは、例えば、後処理装置３００から送信されるトレイカバー開閉信号に基づいてトレイカバー１６Ｃが閉まっている親展トレイ１６Ｂがあると判断し、且つ、後処理装置３００から送信される用紙検出信号に基づいて当該親展トレイ１６Ｂに用紙が収容されていないと判断した場合に、保留した親展情報を含むプリントジョブに基づくプリント処理の保留を解除する。具体的には、制御部１０Ａは、例えば、後処理装置３００から送信されるトレイカバー開閉信号に基づいてトレイカバー１６Ｃが閉まっている親展トレイ１６Ｂがあると判断し、且つ、後処理装置３００から送信される用紙検出信号に基づいて当該親展トレイ１６Ｂに用紙が収容されていないと判断した場合に、保留した親展情報を含むプリントジョブに基づくプリント処理を、実行中のプリント処理に続いて実行させるようにプリント部７を制御する。
また、制御部１０Ａは、例えば、外部Ｉ／Ｆ部３により、親展情報を含む第１プリントジョブが受け付けられ、第１プリントジョブの次に親展情報を含む第２プリントジョブが受け付けられた場合であって、第１プリントジョブに基づくプリント処理の処理中若しくは終了後に、後処理装置３００から送信されるトレイカバー開閉信号に基づいて全ての後処理装置３００のトレイカバー１６Ｃが開いていると判断した場合、又は、後処理装置３００から送信される用紙検出信号に基づいて全ての後処理装置３００の親展トレイ１６Ｂに用紙が収容されていると判断した場合に、第１プリントジョブに含まれるユーザ情報と第２プリントジョブに含まれるユーザ情報とが一致するか否か判断し、一致すると判断した場合に、外部Ｉ／Ｆ部３により受け付けられた第２プリントジョブに基づくプリント処理を実行させるようにプリント部７を制御する。
また、制御部１０Ａは、例えば、外部Ｉ／Ｆ部３により、親展情報を含むプリントジョブが複数受信された場合に、当該複数のプリントジョブのうちユーザ情報が同一であるプリントジョブに基づくプリント処理を連続して他のユーザ情報が同一のものがないプリントジョブより優先して実行させるようにプリント部７を制御する。
また、制御部１０Ａは、例えば、プリント部７によりプリント処理を実行するプリントジョブに親展情報が含まれる場合に、通信部９を制御して、親展トレイ排紙命令信号を後処理装置３００に送信させる。具体的には、制御部１０Ａは、例えば、プリント部７によりプリント処理を実行するプリントジョブに親展情報が含まれる場合に、所定の優先順位で後処理装置３００から送信されるトレイカバー開閉信号に基づいてトレイカバー１６Ｃが閉まっている親展トレイ１６Ｂを検索するとともに、所定の優先順位で後処理装置３００から送信される用紙検出信号に基づいて用紙が収容されていない親展トレイ１６Ｂを検索し、トレイカバー１６Ｃが閉まっており、且つ、用紙が収容されていない親展トレイ１６Ｂがある場合には、プリント部７によりプリント処理された用紙を当該親展トレイ１６Ｂに排紙することを命令する親展トレイ排紙命令信号を後処理装置３００に送信する。
また、制御部１０Ａは、例えば、プリント処理が不可能と判断した場合に、プリントジョブに基づくプリント処理を保留する。
【００９６】
制御部１７Ａは、例えば、搬送部１５を制御して、画像形成装置１００から搬送された用紙を、綴じ機構１２，折り機構１３，パンチ機構１４等の各部へ搬送した後、排紙部１６へと搬送させる。
具体的には、制御部１７Ａは、例えば、通信部１１により、画像形成装置１００から送信される親展トレイ排紙命令信号が受信された場合に、搬送部１５を制御して、画像形成装置１００から搬送された用紙を綴じ機構１２，折り機構１３，パンチ機構１４等の各部へ搬送した後、当該親展トレイ排紙命令信号により指定された親展トレイ１６Ｂへと搬送させる。
【００９７】
次に、上述のような構成の本発明の第２の実施形態に係る画像形成システム２０００におけるプリント動作の一例を図８に示すフローチャートを参照しながら説明する。
なお、ステップＳ３０１〜ステップＳ３０４，ステップＳ３０８〜ステップＳ３１８の処理は、それぞれ、図３に示すフローチャートのステップＳ１〜ステップＳ４，ステップＳ８〜ステップＳ１８の処理と同じであるので、その説明を省略する。
【００９８】
ステップＳ３０３において、制御部１０Ａが、プリントジョブに親展情報が含まれると判断した場合には（ステップＳ３０３；Ｙｅｓ）、制御部１０Ａは、後処理装置３００から送信されるトレイカバー開閉信号に基づいてトレイカバー１６Ｃが閉まっている親展トレイ１６Ｂを検索し、トレイカバー１６Ｃが閉まっている親展トレイ１６Ｂがある場合には、後処理装置３００から送信される用紙検出信号に基づいて当該親展トレイ１６Ｂに用紙が収容されているか否かを判断する（ステップＳ３０５）。
【００９９】
ステップＳ３０５において、制御部１０Ａが、トレイカバー１６Ｃが閉まっている親展トレイ１６Ｂがあると判断し、且つ、当該親展トレイ１６Ｂに用紙が収容されていないと判断した場合には（ステップＳ３０５；Ｎｏ）、ステップＳ３０７に進む。
【０１００】
ステップＳ３０５において、制御部１０Ａが、全ての後処理装置３００のトレイカバー１６Ｃが開いていると判断した場合、又は、全ての後処理装置３００の親展トレイ１６Ｂに用紙が収容されていると判断した場合には（ステップＳ３０５；Ｙｅｓ）、制御部１０Ａは、ステップＳ３０１において受信されたプリントジョブより前に受信された親展情報を含むプリントジョブのうち最終のプリントジョブのユーザ情報と、ステップＳ３０１において受信されたプリントジョブのユーザ情報とが一致するか否かを判断する（ステップＳ３０６）。
【０１０１】
ステップＳ３０６において、制御部１０Ａが、ユーザ情報が一致すると判断した場合には（ステップＳ３０６；Ｙｅｓ）、制御部１０Ａは、プリント部７に、ステップＳ３０１において受信したプリントジョブに基づくプリント処理を実行させ（ステップＳ３０７）、当該プリントジョブに含まれるユーザ情報（ユーザ名）をＲＡＭに記憶させ（ステップＳ３０８）、本処理を終了する。
なお、ステップＳ３０６を経てステップＳ３０７の処理を行う場合には、制御部１０Ａは、ステップＳ２０６においてステップＳ３０１において受信されたプリントジョブのユーザ情報と一致した最終のプリントジョブに基づくプリント処理がされた用紙が収容されている親展トレイ１６Ｂを指定する親展トレイ排紙命令信号を後処理装置３００に送信する。
【０１０２】
次に、本発明の第２の実施形態に係る画像形成システム２０００における保留したプリントジョブに基づくプリント動作の一例を図９に示すフローチャートを参照しながら説明する。
なお、ステップＳ４０２〜ステップＳ４０８の処理は、図４に示すフローチャートのステップＳ１０２〜ステップＳ１０８の処理と同じであるので、その説明を省略する。
【０１０３】
まず、後処理装置３００から、何れかの親展トレイ１６Ｂのトレイカバー１６Ｃが閉まったことを示すトレイカバー開閉信号（トレイカバー閉情報）を受信し、且つ、当該親展トレイ１６Ｂに用紙が収容されていないことを示す用紙検出信号を受信すると（ステップＳ４０１）、制御部１０Ａは、画像メモリ６に予約ジョブが記憶されているか否かを判断する（ステップＳ４０２）。
【０１０４】
以上に説明した、本発明の第２の実施形態に係る画像形成システム２０００によれば、第１の実施形態に係る画像形成システム１０００と同様の効果が得られるのは勿論のこと、特に、制御部１０Ａにより、複数の親展トレイ１６Ｂから、所定の優先順位で、開閉検出部１６Ｄによりトレイカバー１６Ｃが閉まっていると検出された親展トレイ１６Ｂが検索され、制御部１７Ａにより、検索された親展トレイ１６Ｂにプリント部７によりプリント処理された用紙が排紙されるので、複数の親展トレイ１６Ｂのうち、トレイカバー１６Ｃの開いていない親展トレイ１６Ｂに親展情報を含むプリントジョブに基づいてプリント処理された用紙が排紙されることとなって、機密性を確実に確保することができる。
【０１０５】
また、制御部１０Ａにより、複数の親展トレイ１６Ｂから、所定の優先順位で、用紙検出部１６Ｅにより親展トレイ１６Ｂに用紙が収容されていないと検出された親展トレイ１６Ｂが検索され、制御部１７Ａにより、検索された親展トレイ１６Ｂにプリント部７によりプリント処理された用紙が排紙されるので、複数の親展トレイ１６Ｂのうち、用紙が収容されていない親展トレイ１６Ｂに親展情報を含むプリントジョブに基づいてプリント処理された用紙が排紙されることとなって、機密性を確実に確保することができる。
【０１０６】
なお、１台の後処理装置３００に複数の親展トレイ１６Ｂが備えられてもよい。
また、親展トレイ１６Ｂのトレイカバー１６Ｃの開閉のみに基づいて、親展情報を含むプリントジョブに基づくプリント処理の実行・保留が決定されてもよい。
【図面の簡単な説明】
【０１０７】
【図１】本発明の第１の実施形態に係る画像形成システムの構成の一例を示す図である。
【図２】本発明の第１の実施形態に係る画像形成システムの内部構成の一例を示すブロック図である。
【図３】本発明の第１の実施形態に係る画像形成システムにおけるプリント動作の一例を説明するフローチャートである。
【図４】本発明の第１の実施形態に係る画像形成システムにおける保留したプリントジョブに基づくプリント動作の一例を説明するフローチャートである。
【図５】本発明の第１の実施形態に係る画像形成システムにおける複数のプリントジョブを受信した場合におけるプリント処理順序の決定動作の一例を説明するフローチャートである。
【図６】本発明の第２の実施形態に係る画像形成システムの構成の一例を示す図である。
【図７】本発明の第２の実施形態に係る画像形成システムの内部構成の一例を示すブロック図である。
【図８】本発明の第２の実施形態に係る画像形成システムにおけるプリント動作の一例を説明するフローチャートである。
【図９】本発明の第２の実施形態に係る画像形成システムにおける保留したプリントジョブに基づくプリント動作の一例を説明するフローチャートである。
【符号の説明】
【０１０８】
１  プリンタコントローラ（コントローラ）
７  プリント部
１０，１０Ａ  制御部
１７，１７Ａ  制御部
１５  搬送部
１６Ｂ  親展トレイ
１６Ｃ  トレイカバー
１６Ｄ  開閉検出部
１６Ｅ  用紙検出部
１０００，２０００  画像形成システム
【図１】
2008173843.tif 000003
【図２】
2008173843.tif 000004
【図３】
2008173843.tif 000005
【図４】
2008173843.tif 000006
【図５】
2008173843.tif 000007
【図６】
2008173843.tif 000008
【図７】
2008173843.tif 000009
【図８】
2008173843.tif 000010
【図９】
2008173843.tif 000011